(57)【要約】【課題】  キャビネット本体からの熱をレール部材の前面に伝わり難くすることができるキッチン用フロアキャビネットを提供する。【解決手段】  キッチン用フロアキャビネット１は、キャビネット本体２の上部前面に設けられる左右方向に延在するレール部材３と、このレール部材３にスライド可能に係合するスライド部材４とを備えている。前記レール部材３の中実部分に、レール部材３の長手方向に延在する中空部３４を設けた。【選択図】      図２
2006198304.tif 000002
【特許請求の範囲】
【請求項１】
キャビネット本体の上部前面に、左右方向に延在するレール部材を設けて、このレール部材にスライド部材をスライド可能に係合させたキッチン用フロアキャビネットであって、
前記レール部材の中実部分に、レール部材の長手方向に延在する中空部を設けたことを特徴とするキッチン用フロアキャビネット。
【請求項２】
前記レール部材に、前記中空部に連通する通気口を設けたことを特徴とする請求項１に記載のキッチン用フロアキャビネット。
【請求項３】
前記中空部内に、放熱フィンを形成したことを特徴とする請求項２に記載のキッチン用フロアキャビネット。
【請求項４】
前記キャビネット本体のグリルからの熱風が当るレール部材の下面に、断熱材を取付けたことを特徴とする請求項１〜３のいずれか１項に記載のキッチン用フロアキャビネット。
【請求項５】
前記断熱材の下面を手前側に向けて下方に湾曲させたことを特徴とする請求項４に記載のキッチン用フロアキャビネット。
【発明の詳細な説明】
【技術分野】
【０００１】
本発明は、キッチン用フロアキャビネットに関するものである。
【背景技術】
【０００２】
従来、キッチン用フロアキャビネットでは、調理に使用する部分の面積を広く確保するために、シンクの周縁部に段差部を設け、この段差部に可動式のプレートを載置することが知られている（例えば、特許文献１参照）。
【０００３】
近年では、大型鍋等を調理器からシンクへ簡単に移動させることができ、しかも調理に使用する部分の面積を広く確保することができるキッチン用フロアキャビネットが求められている。
【０００４】
そこで、調理器やシンク等を有するキャビネット本体の上部前面にレール部材を設けて、このレール部材に台板を有するスライド部材をスライド可能に係合させることによって、大型鍋等を台板に載せて調理器からシンクへ移動できるようにするとともに、台板を調理台としても使用できるようにしたキッチン用フロアキャビネットが提案されつつある。
【特許文献１】特開平６−７３７６７号公報
【発明の開示】
【発明が解決しようとする課題】
【０００５】
このようなレール部材は、一般的に中実棒状に形成されるため、キャビネット本体の調理器からの熱がレール部材の前面に伝わり易く、使用者がレール部材の前面に触れたときに不快感を生じるおそれがある。
【０００６】
本発明は、このような事情に鑑み、キャビネット本体からの熱をレール部材の前面に伝わり難くすることができるキッチン用フロアキャビネットを提供することを目的とする。
【課題を解決するための手段】
【０００７】
上述の目的を達成するために、本発明に係るキッチン用フロアキャビネットは、キャビネット本体の上部前面に、左右方向に延在するレール部材を設けて、このレール部材にスライド部材をスライド可能に係合させたキッチン用フロアキャビネットであって、前記レール部材の中実部分に、レール部材の長手方向に延在する中空部を設けたことを特徴とするものである。
【０００８】
また、前記レール部材に、前記中空部に連通する通気口を設けたり、通気口を設けた上で、前記中空部内に、放熱フィンを形成したりすることが好ましい。
【０００９】
また、前記キャビネット本体のグリルからの熱風が当るレール部材の下面に、断熱材を取付けることが好ましい。
【００１０】
さらに、前記断熱材の下面を手前側に向けて下方に湾曲させることがより好ましい。
【発明の効果】
【００１１】
本発明によれば、レール部材の中実部分に中空部を設けたから、中空部内の空気の断熱作用でレール部材の前面にキャビネット本体からの熱を伝わり難くすることができる。
【発明を実施するための最良の形態】
【００１２】
以下、本発明を実施するための最良の形態について、図面を参照しながら詳細に説明する。
【００１３】
図１〜図３に示すように、本発明の一実施形態に係るキッチン用フロアキャビネット１は、キャビネット本体２と、このキャビネット本体２の上部前面に設けられ、左右方向に延在するレール部材３と、このレール部材３にスライド可能に係合するスライド部材４とを備えている。
【００１４】
前記キャビネット本体２は、略直方体の形状をなしており、人造大理石等で構成されるカウンター２１と、カウンター２１を支持する箱体２４と、箱体２４に前後方向にスライド可能に収容される複数の引出し２５とを有している。
【００１５】
前記カウンター２１には、調理器２８やシンク２２が組み込まれているとともに、カラン２３が取付けられている。また、調理器２８の下部には、図示は省略するが、魚等を焼くグリルが組み込まれており、グリルの扉やガラリは箱体２４の前面２４ａから露出している。
【００１６】
前記カウンター２１の手前側端部は、箱体２４の前面２４ａよりも手前側（図２では左側）に突出しており、収容状態での引出し２５の前壁を上方から覆うことが可能となっている。また、カウンター２１の下面と箱体２４の手前側上端部との間には、所定寸法の隙間ｔが設けられており、この隙間ｔに前記レール部材３の張出部３３が嵌め込まれている。
【００１７】
前記レール部材３は、係合溝３２が形成された上下方向に延びる本体部３１と、この本体部３１の上部から奥側（図２では右側）に張り出す前記張出部３３とを有し、側面視で略Ｌ字状をなしている。また、レール部材３は、本体部３１の前面３１ａが収容状態での引出し２５の前面と略面一となるようにキャビネット本体２に取付けられており、この前面３１ａの上部がカウンター２１の手前側端部に設けられた下方に突出する突出部２１ａに当接して、レール部材３の脱落防止が図られている。
【００１８】
また、前記本体部３１の下面３１ｂは、略全長に亘って側面視で略Ｌ字状の固定金具２６で支えられている。固定金具２６は、上下方向に延びる部分がタッピングネジＳ１によって箱体２４の前面に固定されており、レール部材３は、固定金具２６の前後方向に延びる部分に載置された状態でタッピングネジＳ２によって固定金具２６に固定されている。
【００１９】
さらに、本体部３１の下面３１ｂには、前記グリルからの熱風がレール部材３に伝わるのを抑制するために、本体部３１の下面３１ｂの略全長に亘って断熱材２７が固定金具２６を介して取付けられている。なお、断熱材２７は、グリルからの熱風が当る部分にのみ取付けられるようにしてもよい。
【００２０】
前記断熱材２７は、上下方向に扁平な断面略長方形状で左右方向に延びている。
【００２１】
また、本体部３１の下面３１ｂの手前側端部には、下方に突出して断熱材２７を手前側から覆うことが可能な突出部３７が設けられており、美観の向上が図られている。
【００２２】
前記係合溝３２は、本体部３１の前面３１ａから奥側に延びるとともに、奥側で斜め上方に立ち上がる側面視で略Ｌ字状に形成されている。
【００２３】
前記スライド部材４は、左右方向に延びる中空板状の本体部４１と、この本体部４１の奥側端部に連設され、レール部材３の本体部３１の係合溝３２に嵌り込んで係合する係合部４２とを有している。
【００２４】
前記係合部４２は、本体部４１の奥側端部から奥側に延びるとともに、奥側で斜め上方に立ち上がる側面視で略Ｌ字状に形成されており、図２の矢印ａのようにスライド部材４の手前側端部を持ち上げて、スライド部材４をやや前倒した状態とすればレール部材３の本体部３１の係合溝３２に前方から挿入可能となり、係合部４２を係合溝３２に挿入した後にスライド部材４を後倒操作すれば当該係合部４２の上端部が係合溝３２の立上り部分に係合するようになっている。
【００２５】
また、スライド部材４には、使用者が肘を置いたり、タオルを掛けたりするためのバー５が設けられている。このバー５は、円形断面で左右方向に延びており、スライド部材４の本体部４１の左右両端部に連設された左右一対の側壁４３に挟まれて固定されている。なお、前記一対の側壁４３は、本体部４１の上面の中央から少し手前寄りの位置に突設されたリブ４４によって相互に連結されて補強されている。
【００２６】
また、レール部材３には、キャビネット本体１の調理器２８からの熱がレール部材３の本体部３１の前面３１ａに伝わるのを抑制するための構造が採用されている。
【００２７】
具体的には、レール部材３の張出部３３から本体部３１に跨る領域の中実部分に、レール部材３の長手方向に延在する中空部３４が設けられている。この中空部３４は、上辺が底辺よりも手前側に突出する断面略台形状をなしており、手前側の面が傾斜面３４ａとなっている。
【００２８】
また、レール部材３の張出部３３の背面３３ａには、箱体２４の内部空間と中空部３４とを連通する２つの通気口３６が設けられている。これらの通気口３６の一方は、図３に示すようにシンク２２の手前側の位置に、他方は、調理器２８の手前側の位置に設けられている。なお、通気口３６の数は２つに限らず、３つ以上であってもよい。
【００２９】
そして、シンク２２側の通気口３６の奥側には、電動ファン８が配設されており、この電動ファン８が駆動すると、調理器２８側の通気口３６から矢印ｂのように空気が中空部３６内に流入し、その空気が中空部３４内を矢印ｃのようにシンク側に向かって流れ、シンク２２側の通気口３６から矢印ｄのように流出するようになっている。
【００３０】
なお、前記電動ファン８は、例えばレール部３に温度検知センサを設け、このセンサがレール部３の温度が４０℃程度になったことを検知したときに自動的に駆動されるようにすることが好ましい。
【００３１】
さらに、前記中空部３４内には、上下方向に並ぶ３枚の放熱フィン３５が形成されている。これらの放熱フィン３５は、中空部３４の傾斜面３４ａから奥側に延びており、各放熱フィン３５の先端は前後方向で略一致する位置に位置している。
【００３２】
以上説明したように、本実施形態のキッチン用フロアキャビネット１では、レール部材３の中実部分に中空部３４を設けたから、中空部３４内の空気の断熱作用でレール部材３の本体部３１の前面３１ａにキャビネット本体２の調理器２８からの熱を伝わり難くすることができる。
【００３３】
また、レール部材３の張出部３３の背面３３ａに、中空部３４と連通する通気口３６を設けたから、通気口３６から中空部３４内の加熱された空気を逃がすことができ、中空部３４に熱がこもることを抑制して、レール部材３を伝わる熱を中空部３４で放熱させることができる。
【００３４】
さらに、中空部３４内に放熱フィン３５を形成したから、レール部材３を伝わる熱を放熱フィン３５によってより有効に放熱させることができ、キャビネット本体２からレール部材３の本体部３１の前面３１ａにさらに熱を伝わり難くすることができる。
【００３５】
また、本体部３１の下面３１ｂに断熱材２７を取付けたから、グリルからの熱風によってレール部材３が加熱されることを抑制することができる。
【００３６】
なお、前述した実施形態では、レール部材３の本体部３１の下面３１ｂに断面略長方形状の断熱材２７を取付けた形態を示したが、図４に示すように、突出部３７の下面をも含む本体部３１の下面３１ｂの略全面を覆う形状の断熱材２７’を本体部３１の下面３１ｂに取付け、本体部３１の下面３１ｂと突出部３７の下面との段差部で断熱材２７’の下面２７ａを手前側に向けて下方に湾曲させるようにしてもよい。
【００３７】
このようにすれば、グリルからの熱風を、矢印ｅのように断熱材２７’の下面２７ａに沿って手前側にスムーズに逃がすことができ、グリルからの熱風によってレール部材３が加熱されることをさらに有効に抑制することができる。
【００３８】
また、グリルからの熱風を手前側にスムーズに逃がすには、図５に示すように、本体部３１の下面３１ｂ’を突出部３７の下面に滑らかにつながるように下方に湾曲させ、この下面３１ｂ’に沿って断面略長方形状の断熱材２７を取付けることにより、断熱材２７の下面２７ａを手前側に向けて下方に湾曲させてもよい。なお、この場合には、断熱材２７を省略してもグリルからの熱風を手前側にスムーズに逃がすことができる。
【００３９】
また、スライド部材４としては、前記実施形態のようにバー５が取付けられたものである必要はなく、例えば、図６に示すように、本体部４１の手前側端部にフック６を取付けたスライド部材４’としてもよい。
【００４０】
または、図７に示すように、本体部４１を上方及び奥側に延びる略Ｌ字状として、この本体部４１の上端部に台板７を前後方向に回動可能に取付けたスライド部材４”とすることも可能である。このようにすれば、台板７を前方回動させたとき（図７の二点鎖線の状態にしたとき）には調理台として使用することができ、後方回動させたとき（図７の実線の状態にしたとき）にはサブカウンターとして使用することができる。
【００４１】
さらに、レール部材３のレール部３２の係合溝３２ａ及びスライド部材４の係合部４１の形状は特に限定されるものではなく、例えば奥側が上下方向に延びる側面視略Ｔ字状等であってもよい。
【図面の簡単な説明】
【００４２】
【図１】本発明の一実施形態に係るキッチン用フロアキャビネットの斜視図である。
【図２】図１のＩＩ−ＩＩ線断面図である。
【図３】キッチン用フロアキャビネットを奥側から見た斜視図である。
【図４】他の一実施形態に係るキッチン用フロアキャビネットの断面側面図である。
【図５】他の一実施形態に係るキッチン用フロアキャビネットの断面側面図である。
【図６】他の一実施形態に係るスライド部材の側面図である。
【図７】他の一実施形態に係るスライド部材の側面図である。
【符号の説明】
【００４３】
１  キッチン用フロアキャビネット
２  キャビネット本体
２１  カウンター
２７，２７’  断熱材
２７ａ  下面
３  レール部材
３１  本体部
３２  係合溝
３３  張出部
３４  中空部
３５  フィン
３６  通気口
４，４’，４”  スライド部材
４１  本体部
４２  係合部
５  バー
６  フック
７  台板
８  電動ファン
Ｓ１，Ｓ２  タッピングネジ
【図１】
2006198304.tif 000003
【図２】
2006198304.tif 000004
【図３】
2006198304.tif 000005
【図４】
2006198304.tif 000006
【図５】
2006198304.tif 000007
【図６】
2006198304.tif 000008
【図７】
2006198304.tif 000009